(57)【要約】【課題】耐久性や信頼性を向上できるカメラを提供する。【解決手段】メインミラー３２１を駆動するための第１ミラーアップレバー４１０、および第２ミラーアップレバー４２０と、第１ミラーアップレバー４１０を係止するための第１ミラー係止レバー４３０と、第２ミラーアップレバー４２０を係止するための第２ミラー係止レバー４４０とを設け、第１ミラーアップレバー４１０および第２ミラーアップレバー４２０を個別に係止できるように構成した。これにより、簡単な構成で、シャッタ装置５００だけをリセットさせようとしたときに、メインミラー３２１をミラーアップさせた状態で保持することができるようになるので、製造コストを抑制でき、故障も少なくなり耐久性や信頼性を向上できる。【選択図】図３
2012022237.tif 000002
【特許請求の範囲】
【請求項１】
撮影光路中に挿入されるダウン姿勢と、撮影光路から退避したアップ姿勢との２姿勢を採り得るように構成されて前記ダウン姿勢および前記アップ姿勢のいずれか一方の姿勢となるように第１の付勢力が与えられているミラーと、
前記第１の付勢力に抗して他方の姿勢となるように前記ミラーを駆動する第１のミラーアップレバーと、
第２の付勢力が与えられたレバーであって、前記第１のミラーアップレバーと協働して前記ミラーを前記他方の姿勢となるように前記第２の付勢力によって駆動する第２のミラーアップレバーと、
前記ミラーが前記他方の姿勢を維持するように、前記ミラーを駆動した前記第１のミラーアップレバーを係止する第１の係止レバーと、
前記第２の付勢力に抗して前記第２のミラーアップレバーを係止する第２の係止レバーと、
付与されたチャージ力によって、前記第２のミラーアップレバーを駆動して前記第２の付勢力をチャージするチャージレバーと、
前記チャージ力によって、前記チャージレバーと連動して駆動されることでシャッタ装置の遮光羽根群の走行駆動力をチャージするシャッタチャージ機構とを備えることを特徴とするカメラ。
【請求項２】
請求項１に記載のカメラにおいて、
前記第１の係止レバーは、前記ミラーを前記他方の姿勢を維持したままの状態で前記シャッタチャージ機構が前記走行駆動力をチャージする場合には、前記第１のミラーアップレバーを係止し、
前記第１の係止レバーは、前記ミラーが前記一方の姿勢となることを許容した状態で前記シャッタチャージ機構が前記走行駆動力をチャージする場合には、前記第１のミラーアップレバーの係止を解除することを特徴とするカメラ。
【請求項３】
請求項２に記載のカメラにおいて、
前記第１および第２の係止レバーによる係止の解除を許可または禁止する１つの係止解除許可マグネットをさらに備え、
前記係止解除許可マグネットは、前記ミラーを前記他方の姿勢を維持したままの状態で前記シャッタチャージ機構が前記走行駆動力をチャージする場合には、前記第１および第２の係止レバーによる係止の解除を禁止し、
前記係止解除許可マグネットは、前記ミラーが前記一方の姿勢となることを許容した状態で前記シャッタチャージ機構が前記走行駆動力をチャージする場合には、前記第１および第２の係止レバーによる係止の解除を許可することを特徴とするカメラ。
【請求項４】
撮影光路中に挿入されるダウン姿勢と、撮影光路から退避したアップ姿勢との２姿勢を採り得るミラーと、
前記ミラーを前記ダウン姿勢と前記アップ姿勢との間で駆動する第１および第２のミラーアップレバーと、
前記第１のミラーアップレバーを係止する第１の係止レバーと、
前記第２のミラーアップレバーを係止する第２の係止レバーと、
前記第１および第２のミラーアップレバーをチャージするチャージレバーと、
シャッタ装置をチャージするシャッタチャージ機構とを備えることを特徴とするカメラ。
【発明の詳細な説明】
【技術分野】
【０００１】
本発明は、撮影光路中に挿入されるダウン姿勢と、撮影光路から退避したアップ姿勢との２姿勢を採り得るミラーを有する一眼レフタイプのカメラに関する。
【背景技術】
【０００２】
撮像素子で繰り返し撮像することで得られる予備撮影画像（スルー画）をカメラボディの背面などに配設した表示装置に表示するように構成された一眼レフタイプのカメラが知られている。この従来のカメラでは、メインミラーをミラーアップし、シャッタ装置の先幕遮光羽根群を走行させて撮影開口を開くことでスルー画の取得を可能としている。このようにしてスルー画を取得するとともに、スルー画の取得に引き続き、記憶媒体への記録用の画像を取得するように撮影（本撮影）することができる撮影モードをライブビューモードと呼ぶ。
【０００３】
ライブビューモードに設定されているときに本撮影を行う場合には、本撮影に先立ち、一旦後幕遮光羽根群も走行させた後、シャッタ装置をチャージする必要がある。当該チャージの際、メインミラーが一旦ミラーダウンする。次いで、通常の撮影の場合と同様に、メインミラーをミラーアップさせた後、シャッタ装置を駆動して本撮影を行って、再びシャッタ装置をチャージする。当該チャージの際にも、メインミラーが一旦ミラーダウンする。その後、スルー画の取得のために、メインミラーをミラーアップし、シャッタ装置の先幕遮光羽根群を走行させて撮影開口を開くようにしている。
【０００４】
このように、従来のカメラでは、ライブビューモードに設定されているときに本撮影を行う場合には、メインミラーがミラーアップ位置とミラーダウン位置との間で２往復することとなる。そのため、本来であれば駆動する必要のないメインミラーを２往復も駆動することとなるため、余計な電力を消費するとともに、騒音が発生するという不具合があった。
【０００５】
この不具合を解決するため、ライブビューモードに設定されているときに本撮影を行う場合には、メインミラーをミラーダウンさせる必要のないカメラが知られている。このカメラでは、モータの回転方向を変更することで１つのモータからの動力伝達経路を切り替えるように構成し、ミラーを駆動する機構およびシャッタをチャージする機構の双方を駆動する場合と、シャッタをチャージする機構のみを駆動する場合とを切り替えている（特許文献１参照）。
【先行技術文献】
【特許文献】
【０００６】
【特許文献１】特開２００７−２７９２７０号公報
【発明の概要】
【発明が解決しようとする課題】
【０００７】
しかし、上述した特許文献に記載のカメラでは、遊星歯車機構を利用して動力伝達経路を切り替えるように構成されている。そのため、駆動制御が複雑である。
【課題を解決するための手段】
【０００８】
（１）  請求項１の発明によるカメラは、撮影光路中に挿入されるダウン姿勢と、撮影光路から退避したアップ姿勢との２姿勢を採り得るように構成されてダウン姿勢およびアップ姿勢のいずれか一方の姿勢となるように第１の付勢力が与えられているミラーと、第１の付勢力に抗して他方の姿勢となるようにミラーを駆動する第１のミラーアップレバーと、第２の付勢力が与えられたレバーであって、第１のミラーアップレバーと協働してミラーを他方の姿勢となるように第２の付勢力によって駆動する第２のミラーアップレバーと、ミラーが他方の姿勢を維持するように、ミラーを駆動した第１のミラーアップレバーを係止する第１の係止レバーと、第２の付勢力に抗して第２のミラーアップレバーを係止する第２の係止レバーと、付与されたチャージ力によって、第２のミラーアップレバーを駆動して第２の付勢力をチャージするチャージレバーと、チャージ力によって、チャージレバーと連動して駆動されることでシャッタ装置の遮光羽根群の走行駆動力をチャージするシャッタチャージ機構とを備えることを特徴とする。
（２）  請求項２の発明は、請求項１に記載のカメラにおいて、第１の係止レバーは、ミラーを他方の姿勢を維持したままの状態でシャッタチャージ機構が走行駆動力をチャージする場合には、第１のミラーアップレバーを係止し、第１の係止レバーは、ミラーが一方の姿勢となることを許容した状態でシャッタチャージ機構が走行駆動力をチャージする場合には、第１のミラーアップレバーの係止を解除することを特徴とする。
（３）  請求項３の発明は、請求項２に記載のカメラにおいて、第１および第２の係止レバーによる係止の解除を許可または禁止する１つの係止解除許可マグネットをさらに備え、係止解除許可マグネットは、ミラーを他方の姿勢を維持したままの状態でシャッタチャージ機構が走行駆動力をチャージする場合には、第１および第２の係止レバーによる係止の解除を禁止し、係止解除許可マグネットは、ミラーが一方の姿勢となることを許容した状態でシャッタチャージ機構が走行駆動力をチャージする場合には、第１および第２の係止レバーによる係止の解除を許可することを特徴とする。
（４）  請求項４の発明によるカメラは、撮影光路中に挿入されるダウン姿勢と、撮影光路から退避したアップ姿勢との２姿勢を採り得るミラーと、ミラーをダウン姿勢とアップ姿勢との間で駆動する第１および第２のミラーアップレバーと、第１のミラーアップレバーを係止する第１の係止レバーと、第２のミラーアップレバーを係止する第２の係止レバーと、第１および第２のミラーアップレバーをチャージするチャージレバーと、シャッタ装置をチャージするシャッタチャージ機構とを備えることを特徴とする。
【発明の効果】
【０００９】
本発明によれば、耐久性や信頼性を向上できる。
【図面の簡単な説明】
【００１０】
【図１】一眼レフタイプのカメラボディ１００とカメラボディ１００に装着する撮影レンズ１２０を示した斜視図である。
【図２】カメラボディ１００の内部に取り付けられるミラー駆動装置４００の一部とシャッタ装置５００とシャッタ駆動装置６００との斜視図である。
【図３】ミラー駆動装置４００の主要な構成要素のレリーズ動作開始前の状態を示す図である。
【図４】ミラー駆動装置４００の主要な構成要素のレリーズ動作開始前の状態を示す図である。
【図５】ミラー駆動装置４００の主要な構成要素のレリーズ動作開始前の状態を示す図である。
【図６】ミラー駆動装置４００の主要な構成要素のレリーズ動作開始前の状態を示す図である。
【図７】通常撮影モードにおけるミラー駆動装置４００の動作を説明する図である。
【図８】通常撮影モードにおけるミラー駆動装置４００の動作を説明する図である。
【図９】通常撮影モードにおけるミラー駆動装置４００の動作を説明する図である。
【図１０】通常撮影モードにおけるミラー駆動装置４００の動作を説明する図である。
【図１１】通常撮影モードにおけるミラー駆動装置４００の動作を説明する図である。
【図１２】通常撮影モードにおけるミラー駆動装置４００の動作を説明する図である。
【図１３】通常撮影モードにおけるミラー駆動装置４００の動作を説明する図である。
【図１４】通常撮影モードにおけるミラー駆動装置４００の動作を説明する図である。
【図１５】ライブビューモードにおけるミラー駆動装置４００の動作を説明する図である。
【図１６】ライブビューモードにおけるミラー駆動装置４００の動作を説明する図である。
【図１７】ライブビューモードにおけるミラー駆動装置４００の動作を説明する図である。
【図１８】ライブビューモードにおけるミラー駆動装置４００の動作を説明する図である。
【図１９】ライブビューモードから通常撮影モードへ設定された時のミラー駆動装置４００の動作を説明する図である。
【図２０】ライブビューモードから通常撮影モードへ設定された時のミラー駆動装置４００の動作を説明する図である。
【図２１】ライブビューモードから通常撮影モードへ設定された時のミラー駆動装置４００の動作を説明する図である。
【図２２】ライブビューモードから通常撮影モードへ設定された時のミラー駆動装置４００の動作を説明する図である。
【図２３】変形例を示す図である。
【発明を実施するための形態】
【００１１】
図１〜２２を参照して、本発明によるカメラの一実施の形態を説明する。図１は、本発明によるカメラである一眼レフタイプのカメラボディ１００とカメラボディ１００に装着する撮影レンズ１２０を示した斜視図である。カメラボディ１００にはレリーズボタン１０４と、被写体に光を照射する閃光装置（発光装置）１０５と、表示装置１０７と、撮像素子６９と、カメラボディ１００の各部を制御する制御回路１０１とが設けられている。図１では、発光装置１０５を使用しないときの状態を示している。発光装置１０５を使用するときには、図示はしないが、発光装置１０５の前方が上方に向かって起き上がる。表示装置１０７は、カメラボディ１００の背面に配設された表示装置であり、カメラボディ１００の各種設定の情報や、後述するスルー画などが表示される。
【００１２】
３０１は、撮影レンズ１２０からの被写体像を撮像素子６９に導くための撮影光路である。レリーズ開始前の状態では、撮影光路３０１内には、メインミラー３２１が降りてきている。カメラボディ１００に撮影レンズ１２０を装着すると、レンズ側絞りレバー１２３とカメラ側の絞り連動レバー３２３の当接部３２３ａとが当接する。レンズ側絞りレバー１２３は、カメラ側の絞り連動レバー３２３により駆動されて所定の絞り値に制御される。なお、本実施の形態では、撮影レンズ１２０が取り付けられるカメラボディ１００の前方を正面とも呼び、撮像素子６９が設けられるカメラボディ１００の後方を背面とも呼ぶ。また、カメラボディ１００の上下左右方向を各図に記載したように規定する。
【００１３】
図２は、カメラボディ１００の内部に取り付けられるミラー駆動装置４００の一部とシャッタ装置５００とシャッタ駆動装置６００との斜視図である。図２において、１５０は駆動モータ（チャージモータ）であり、ミラー駆動装置４００およびシャッタ装置５００（シャッタ駆動装置６００）を撮影開始前の状態に復帰する（チャージする）際の動力源である。ミラー駆動装置４００は、メインミラー３２１を観察位置（ミラーダウン位置）と退避位置（ミラーアップ位置）との間での回動させるための駆動装置である。ミラー駆動装置４００の詳細については後述する。
【００１４】
シャッタ装置５００は、被写体光の入射を禁止して撮像素子６９を遮光する閉状態と、被写体光の入射を許可して撮像素子６９に被写体像を導く開状態との間で開閉動作を行う不図示の先幕遮光羽根群および後幕遮光羽根群を有する装置である。シャッタ駆動装置６００は、シャッタ装置５００の先幕遮光羽根群および後幕遮光羽根群を駆動するための装置である。シャッタ駆動装置６００は、先幕駆動バネ６０１および後幕駆動バネ６０２の付勢力によって先幕遮光羽根群および後幕遮光羽根群を走行させる。先幕駆動バネ６０１の付勢力によって先幕遮光羽根群が走行すると、遮光していた撮影開口を開放する。次いで、後幕駆動バネ６０２の付勢力によって後幕遮光羽根群が走行すると、開放されていた撮影開口が遮光される。この先幕遮光羽根群と後幕遮光羽根群とによって撮影開口を開放する時間によってシャッタ秒時が規定される。なお、シャッタ駆動装置６００は、先幕駆動バネ６０１および後幕駆動バネ６０２をチャージするための装置でもある。
【００１５】
−−−ミラー駆動装置４００−−−
図３〜６を参照して、本実施の形態のミラー駆動装置４００について説明する。図３〜６は、カメラボディ１００に組み込まれるミラー駆動装置４００の主要な構成要素をカメラボディ１００の右側から見た図であり、レリーズ動作開始前の状態を示している。図４〜６では、説明のためにミラー駆動装置４００を構成する部材の一部を太線で強調して表示している。なお、図３以降の各図における前後方向および上下左右方向は、ミラー駆動装置４００がカメラボディ１００に組み込まれているものとして、カメラボディ１００の前後方向および上下左右方向と一致するように規定している。
【００１６】
ミラー駆動装置４００は、第１ミラーアップレバー４１０と、第２ミラーアップレバー４２０と、第１ミラー係止レバー４３０と、第２ミラー係止レバー４４０と、第１ミラーマグネットチャージレバー４５０と、第２ミラーマグネットチャージレバー４６０と、ミラースタートレバー４７０とを備えている。また、ミラー駆動装置４００には、ミラーマグネット４０１と、チャージレバー４８１と、第１チャージリンク４８２と、第２チャージリンク４８３と、チャージコロ４８４とを備えている。また、ミラー駆動装置４００は、ミラー駆動装置４００の各構成要素や、不図示の絞り駆動機構などが取り付けられる板状の部材である不図示の基板を備えている。この基板には、軸４０２ａ〜４０２ｆが植設されている。
【００１７】
第１ミラーアップレバー４１０は、軸４０２ａを中心に回動可能に軸支されたレバーであり、２本の腕４１１，４１２を有する（図３，４）。腕４１１は、第１ミラーアップレバー４１０の回動中心（軸４０２ａ）の上方の斜め後方に向かって延在する腕であり、メインミラー３２１が取り付けられた不図示の枠に植設されたピン３２１ａを後述するように上方に向かって押動してメインミラー３２１をミラーアップ方向に駆動する。腕４１２は、腕４１１の前方で略上方に向かって延在する腕であり、後述するように、第１ミラー係止レバー４３０の係合部４３１ａ（図６）と係合する係合部４１２ａと、第１ミラーマグネットチャージレバー４５０の腕４５２の当接部４５２ａ（図５）に当接する当接部４１２ｂとを有する。
【００１８】
第１ミラーアップレバー４１０は、第２ミラーアップレバー４２０との間に掛け回されたバネ４９１によって図示反時計方向に付勢されており、腕４１１が第２ミラーアップレバー４２０の後述する腕４２１の折り曲げ部４２１ａ（図５）と当接して、第２ミラーアップレバー４２０に対する図示反時計方向への回動が規制されている。そして、第２ミラーアップレバー４２０とともに軸４０２ａを中心に一体的に回動するように構成されている。
【００１９】
第２ミラーアップレバー４２０は、軸４０２ａを中心に回動可能に軸支されたレバーであり、３本の腕４２１〜４２３と、押上部４２４とを有する（図３，５）。腕４２１は、第２ミラーアップレバー４２０の回動中心（軸４０２ａ）の上方の斜め後方に向かって延在する腕であり、折り曲げ部４２１ａを有する。上述したように、第２ミラーアップレバー４２０は、第１ミラーアップレバー４１０との間にバネ４９１が掛け回されており、図示時計方向に付勢されている。そのため、腕４２１の折り曲げ部４２１ａが、第１ミラーアップレバー４１０の腕４１１に下方から当接して、第１ミラーアップレバー４１０に対する図示時計方向への回動が規制されている。そして、第１ミラーアップレバー４１０とともに軸４０２ａを中心に一体的に回動するように構成されている。
【００２０】
腕４２２は、第２ミラーアップレバー４２０の回動中心の下方の斜め後方に向かって延在する腕である。腕４２２は、後述するようにチャージ動作の際に、チャージレバー４８１と当接して図示反時計方向に回動されるように構成されている。腕４２３は、第２ミラーアップレバー４２０の回動中心の下方の斜め前方に向かって延在する腕であり、後述するように、第２ミラー係止レバー４４０の係合部４４１ａ（図６）と係合する係合部４２３ａを先端に有する。腕４２３には、バネ４９３の一端が取り付けられていて図示時計方向に付勢されている。したがって、腕４２３すなわち第２ミラーアップレバー４２０およびこれと一体化されたミラーアップレバー４１０は、バネ４９３によって図示時計方向に付勢されている。なお、バネ４９３の他端は不図示の基板に取り付けられている。
【００２１】
押上部４２４は、第２ミラーアップレバー４２０の回動中心の前方に設けられた部位であり、第２ミラーアップレバー４２０が軸４０２ａを中心に反時計方向に回動された際に、後述する第２ミラーマグネットチャージレバー４６０のピン４６２（図６）と当接してこれを上方に押し上げる。
【００２２】
第１ミラー係止レバー４３０は、軸４０２ｂを中心に回動可能に軸支されたレバーであり、２本の腕４３１，４３２を有する（図３，６）。腕４３１は、第１ミラー係止レバー４３０の回動中心（軸４０２ｂ）の上方の斜め後方に向かって延在する腕であり、第１ミラーアップレバー４１０の腕４１２の係合部４１２ａ（図４）と係合する係合部４３１ａを有する。腕４３２は、第１ミラー係止レバー４３０の回動中心の下方に向かって延在する腕であり、後述するように、ミラースタートレバー４７０の腕４７２の先端部４７２ａ（図４）が当接する当接部４３２ａを有する。腕４３２には、バネ４９４の一端が取り付けられており、図示時計方向に付勢されている。したがって、第１ミラー係止レバー４３０は、バネ４９４によって図示時計方向に付勢されている。なお、バネ４９４の他端は不図示の基板に取り付けられている。
【００２３】
第２ミラー係止レバー４４０は、軸４０２ｃを中心に回動可能に軸支されたレバーであり、２本の腕４４１，４４２を有する（図３，６）。腕４４１は、第２ミラー係止レバー４４０の回動中心（軸４０２ｃ）の下方の斜め後方に向かって延在する腕であり、第２ミラーアップレバー４２０の腕４２３の係合部４２３ａ（図５）と係合する係合部４４１ａを有する。腕４４２は、第２ミラー係止レバー４４０の回動中心の上方に向かって延在する腕であり、後述するように、ミラースタートレバー４７０の腕４７２の先端部４７２ａ（図４）が当接する当接部４４２ａを有する。腕４４２には、バネ４９５の一端が取り付けられており、図示反時計方向に付勢されている。したがって、第２ミラー係止レバー４４０は、バネ４９５によって図示反時計方向に付勢されている。なお、バネ４９５の他端は不図示の基板に取り付けられている。
【００２４】
第２ミラー係止レバー４４０は、第１ミラー係止レバー４３０と上下方向に略対称に形成されていてもよい。また、製造コスト削減の観点から、第１ミラー係止レバー４３０の天地（表裏）を逆さまにして第２ミラー係止レバー４４０として用いるように構成してもよい。
【００２５】
第１ミラーマグネットチャージレバー４５０は、軸４０２ｄを中心に回動可能に軸支されたレバーであり、２本の腕４５１，４５２を有する（図３，５）。腕４５１は、第１ミラーマグネットチャージレバー４５０の回動中心（軸４０２ｄ）の略上方に向かって延在する腕であり、先端近傍に折り曲げ部４５１ａが設けられている。腕４５２は、第１ミラーマグネットチャージレバー４５０の回動中心の略下方に向かって延在する腕であり、先端部分に第１ミラーアップレバー４１０の腕４１２の当接部４１２ｂや第２ミラーマグネットチャージレバー４６０の腕４６１と当接する当接部４５２ａが先端近傍に設けられている。
【００２６】
第１ミラーマグネットチャージレバー４５０は、腕４５１と後述するミラースタートレバー４７０の腕４７１（図４）との間に掛け回されたバネ４９２によって図示時計方向に付勢されており、腕４５１の折り曲げ部４５１ａがミラースタートレバー４７０の腕４７１に後方から当接して、ミラースタートレバー４７０に対する図示時計方向への回動が規制されている。そして、第１ミラーマグネットチャージレバー４５０は、ミラースタートレバー４７０とともに軸４０２ｄを中心に一体的に回動するように構成されている。
【００２７】
第２ミラーマグネットチャージレバー４６０は、軸４０２ｅを中心に回動可能に軸支されたレバーであり、腕４６１とピン４６２とを有する（図３，６）。腕４６１は、第２ミラーマグネットチャージレバー４６０の回動中心（軸４０２ｅ）の上方の斜め後方に向かって延在する腕であり、後述するように、第１ミラーマグネットチャージレバー４５０の当接部４５２ａに後方から当接してこれを前方に向かって押動する。ピン４６２は、第２ミラーマグネットチャージレバー４６０の回動中心の後方で右側（紙面手前側）に向かって立設されたピンであり、第２ミラーアップレバー４２０の押上部４２４が下方から当接して、押上部４２４によって上方に押し上げられる。第２ミラーマグネットチャージレバー４６０には、バネ４９６の一端が取り付けられており、図示反時計方向に付勢されている。なお、バネ４９６の他端は不図示の基板に取り付けられている。
【００２８】
ミラースタートレバー４７０は、軸４０２ｄを中心に回動可能に軸支されたレバーであり、２本の腕４７１，４７２を有する（図３，４）。腕４７１は、ミラースタートレバー４７０の回動中心（軸４０２ｄ）の略上方に向かって延在する腕であり、後述するミラーマグネット４０１の可動鉄心４０１ａと係合する係合部４７１ａが先端近傍に設けられている。腕４７２は、ミラースタートレバー４７０の回動中心の略下方に向かって延在する腕であり、先端部４７２ａで第１ミラー係止レバー４３０の腕４３２の当接部４３２ａおよび第２ミラー係止レバー４４０の腕４４２の当接部４４２ａと当接する。
【００２９】
ミラースタートレバー４７０は、腕４７１と第１ミラーマグネットチャージレバー４５０の腕４５１との間に掛け回されたバネ４９２によって図示反時計方向に付勢されており、第１ミラーマグネットチャージレバー４５０の腕４５１の折り曲げ部４５１ａが腕４７１に後方から当接して、第１ミラーマグネットチャージレバー４５０に対する図示反時計方向への回動が規制されている。そして、上述したように、ミラースタートレバー４７０は、第１ミラーマグネットチャージレバー４５０とともに軸４０２ｄを中心に一体的に回動するように構成されている。
【００３０】
腕４７１には、バネ４９７の一端が取り付けられており、図示時計方向に付勢されている。したがって、ミラースタートレバー４７０、およびこれと一体的に回動するようにバネ４９２で付勢された第１ミラーマグネットチャージレバー４５０は、バネ４９７によって図示時計方向に付勢されている。なお、バネ４９７の他端は不図示の基板に取り付けられている。
【００３１】
ミラーマグネット４０１は、非励磁状態で可動鉄心４０１ａを吸着して保持し、励磁されることで可動鉄心４０１ａを釈放するように構成されたコンビネーションマグネットであり、不図示の基板の上部に取り付けられている。チャージレバー４８１は、リセット時に回動されるレバーであり、一端が軸４０２ａを中心に回動可能に軸支され、他端が次に述べる第１チャージリンク４８２の上端に対して回動可能に軸支されている（図３，６）。
【００３２】
第１チャージリンク４８２は、チャージモータ１５０（図２）によるチャージ力をチャージレバー４８１などに伝達するための板状の部材である（図３，４）。第１チャージリンク４８２は、上述したように上端がチャージレバー４８１の他端に対して回動可能に軸支され、下端が次に述べる第２チャージリンク４８３の一端に対して回動可能に軸支されている。第１チャージリンク４８２の下端には、チャージコロ４８４が取り付けられている（図４）。チャージコロ４８４は、チャージモータ１５０によるチャージ力が入力されるローラであり、リセット時にチャージモータ１５０のチャージ力によって下方に押圧される。
【００３３】
第２チャージリンク４８３は、第１チャージリンク４８２の下端の動きを規制するリンク板（レバー）であり、一端が第１チャージリンク４８２の下端に回動可能に軸支され、他端が不図示の基板に設けられた軸４０２ｆを中心に回動可能に軸支されている（図３，６）。なお、基板と、チャージレバー４８１と、第１チャージリンク４８２と、第２チャージリンク４８３とによって、４節リンク機構が構成されている。第２チャージリンク４８３は、バネ４９８によって時計方向に付勢されている。なお、不図示の基板には、撮影レンズ１２０の絞りを制御する絞り制御装置も設けられているが、図示および構造の説明を省略する。
【００３４】
−−−動作説明−−−
以下、ミラー駆動装置４００の動作について、撮影シーケンスに沿って説明する。絞り制御に関しては公知であるので詳細な説明を省略する。本実施の形態のカメラボディ１００では、撮影モードとして、通常撮影モードとライブビューモードの２つの撮影モードを選択可能に構成されている。通常撮影モードとは、記憶媒体への記録用の画像を取得するように撮影（本撮影）する度にファインダー光学系で被写体像を観察可能とする撮影モードである。ライブビューモードとは、撮像素子６９で繰り返し撮像することで得られる予備撮影画像（スルー画）を表示装置１０７に表示するとともに、スルー画の取得に引き続いて本撮影を行う撮影モードである。
【００３５】
−−−通常撮影モード設定時の動作−−−
撮影モードが通常撮影モードに設定されている場合、ミラー駆動装置４００は次のように動作する。以下、図３〜６の他、図７〜１４も参照して説明する。なお、図７〜１４では、ピン３２１ａやバネなどの記載を省略している。図７は、図３〜６と同様に通常撮影モードにおけるレリーズ開始前のミラー駆動装置４００の各部の状態を示す図である。レリーズ動作開始前、第２ミラーアップレバー４２０は、係合部４２３ａが第２ミラー係止レバー４４０の係合部４４１ａと係合して、バネ４９３による図示時計方向への付勢力に抗して係止されている（図５）。
【００３６】
第１ミラーアップレバー４１０は、バネ４９１による図示反時計方向への付勢力により、腕４１１が第２ミラーアップレバー４２０の腕４２１の折り曲げ部４２１ａと当接している（図４）。第１ミラーアップレバー４１０の腕４１１は、ピン３２１ａから離間している。これにより、メインミラー３２１は不図示のミラーダウンバネの付勢力によりミラーダウンして、撮影光路３０１内で観察位置に位置している。なお、第１ミラーアップレバー４１０の係合部４１２ａは、第１ミラー係止レバー４３０の係合部４３１ａとの係合が解除されている。
【００３７】
第２ミラーアップレバー４２０の押上部４２４は、第２ミラーマグネットチャージレバー４６０のピン４６２（図６）と当接してこれを上方に押し上げている。これにより、第２ミラーマグネットチャージレバー４６０は、バネ４９６の付勢力に抗して図示時計方向に回動されて、腕４６１で第１ミラーマグネットチャージレバー４５０の当接部４５２ａを前方に向かって押動している。そのため、第１ミラーマグネットチャージレバー４５０は、バネ４９２の付勢力に抗して図示反時計方向に回動して（図５）、バネ４９２を介してミラースタートレバー４７０を図示反時計方向に付勢する。しかし、ミラースタートレバー４７０は、ミラーマグネット４０１が可動鉄心４０１ａを吸着して保持しているので、図３〜６，７に図示する位置で停止している。
【００３８】
ミラースタートレバー４７０の先端部４７２ａは、第１ミラー係止レバー４３０の腕４３２の当接部４３２ａおよび第２ミラー係止レバー４４０の腕４４２の当接部４４２ａと離間している。基板と、チャージレバー４８１と、第１チャージリンク４８２と、第２チャージリンク４８３とによって構成される４節リンク機構は、バネ４９８の付勢力により、チャージレバー４８１が図示時計方向に回動されて停止している。
【００３９】
レリーズボタン１０４が半押し操作されると、不図示のレリーズスイッチから半押し操作信号が出力される。この半押し操作信号を受信すると、制御回路１０１は、公知の測光および測距演算を行って、シャッタ速度（シャッタ秒時）、制御絞り値を算出する。そして、撮影レンズ１２０のフォーカスレンズを駆動するためのレンズ制御信号を出力する。
【００４０】
（１−１）  ミラーアップ開始（図８）
その後、レリーズボタン１０４が全押し操作されると、不図示のレリーズスイッチから全押し操作信号が出力される。この全押し操作信号を受信すると、制御回路１０１は、ミラーマグネット４０１を所定時間励磁する。これにより、ミラーマグネット４０１は可動鉄心４０１ａを釈放し、図８に示すように、ミラーアップが開始する。すなわち、可動鉄心４０１ａが釈放されると、ミラースタートレバー４７０は、バネ４９２の図示反時計方向への付勢力によって、バネ４９７の図示時計方向への付勢力に抗して図示反時計方向に回動する。このミラースタートレバー４７０の図示反時計方向への回動により、ミラースタートレバー４７０の腕４７２は、先端部４７２ａで第１ミラー係止レバー４３０の腕４３２の当接部４３２ａおよび第２ミラー係止レバー４４０の腕４４２の当接部４４２ａと当接してこれを前方に押動する。
【００４１】
このように、当接部４３２ａおよび当接部４４２ａがそれぞれ前方に押動されることで、第１ミラー係止レバー４３０はバネ４９４の付勢力に抗して図示反時計方向へ、第２ミラー係止レバー４４０はバネ４９５の付勢力に抗して図示時計方向へそれぞれ回動する。第２ミラー係止レバー４４０の図示時計方向への回動によって、腕４４１の係合部４４１ａと、第２ミラーアップレバー４２０の腕４２３の係合部４２３ａとの係合が解除されるので、第２ミラーアップレバー４２０およびこれと一体化されたミラーアップレバー４１０は、バネ４９３の付勢力による図示時計方向への回動を開始する。
【００４２】
第２ミラーアップレバー４２０およびミラーアップレバー４１０が図示時計方向への回動を開始することで、第１ミラーアップレバー４１０の腕４１１がピン３２１ａを上方に向かって押動し始めるため、メインミラー３２１のミラーアップ方向への駆動が開始される。
【００４３】
（１−２）  可動鉄心４０１ａの再吸着（図９）
第２ミラーアップレバー４２０およびミラーアップレバー４１０の図示時計方向への回動が進行すると、図９に示すように可動鉄心４０１ａがミラーマグネット４０１に再吸着される。すなわち、第２ミラーアップレバー４２０の図示時計方向への回動によって第２ミラーアップレバー４２０の押上部４２４が下方に逃げ、第２ミラーマグネットチャージレバー４６０のピン４６２が上方に押圧されなくなる。これにより、第２ミラーマグネットチャージレバー４６０は、バネ４９６の付勢力で図示反時計方向に回動し、第１ミラーマグネットチャージレバー４５０の当接部４５２ａを前方へ押圧していた腕４６１が後退する。
【００４４】
第１ミラーマグネットチャージレバー４５０の当接部４５２ａが前方へ押圧されなくなると、腕４５１の折り曲げ部４５１ａがミラースタートレバー４７０の腕４７１に後方から当接して、バネ４９２を介してミラースタートレバー４７０を図示反時計方向へ付勢していた付勢力がなくなる。そのため、ミラースタートレバー４７０がバネ４９７の付勢力で図示時計方向に回動して、可動鉄心４０１ａがミラーマグネット４０１に再吸着される。
【００４５】
（１−３）  ミラーアップの完了（図１０）
第２ミラーアップレバー４２０およびミラーアップレバー４１０の図示時計方向への回動が進行すると、図１０に示すようにミラーアップが完了するとともに、ミラースタートレバー４７０が図示反時計方向に付勢される。すなわち、ミラーアップレバー４１０の図示時計方向への回動が進行することで、腕４１１がピン３２１ａを上方に向かってさらに押動し、メインミラー３２１をミラーアップさせる。また、ミラーアップレバー４１０の図示時計方向への回動が進行することで、腕４１２の係合部４１２ａが第１ミラー係止レバー４３０の係合部４３１ａと係合するとともに、当接部４１２ｂが第１ミラーマグネットチャージレバー４５０の腕４５２の当接部４５２ａに当接してこれを前方に押動する。
【００４６】
当接部４５２ａが前方に押動されると、第１ミラーマグネットチャージレバー４５０が図示反時計方向に回動するので、バネ４９２がミラースタートレバー４７０を図示反時計方向に付勢するようになる。なお、ミラースタートレバー４７０は、ミラーマグネット４０１が可動鉄心４０１ａを吸着して保持しているので、図示反時計方向へ回動することはない。
【００４７】
（１−４）  撮影
上記動作によってメインミラー３２１がミラーアップして、撮影光路３０１から退避する退避位置へ移動する。制御回路１０１は、シャッタ装置５００の不図示の先幕遮光羽根群および後幕遮光羽根群を順次走行させて、所定時間だけ撮像素子６９への被写体光の入射を許可する。これにより本撮影が行われて、記憶媒体への記録用の画像を取得する。
【００４８】
（１−５）  リセット動作開始（ミラーダウンスタート）（図１１）
本撮影が行われた後、各部のリセット動作（チャージ動作）が開始される。制御回路１０１は、チャージモータ１５０の駆動を開始する。なお、以下に説明するミラー駆動装置４００のリセット動作とは別に、チャージモータ１５０の駆動によってシャッタ装置５００（シャッタ駆動装置６００）や不図示の絞り駆動機構なども撮影開始前の状態にリセットされる。
【００４９】
チャージモータ１５０が駆動されると、チャージモータ１５０の駆動力で不図示のチャージカムが駆動されて、チャージコロ４８４が下方に押動される。これにより、図１１に示すように、第１チャージリンク４８２がチャージレバー４８１の他端を引き下げて、チャージレバー４８１を図示反時計方向に回動させる。チャージレバー４８１が図示反時計方向に回動すると、チャージレバー４８１の腕の下面が第２ミラーアップレバー４２０の腕４２２に当接してこれを下方に向かって押動する。
【００５０】
これにより、第２ミラーアップレバー４２０がバネ４９３による図示時計方向への付勢力に抗して反時計方向に回動されてチャージされる。なお、この段階では、ミラーアップレバー４１０は、腕４１２の係合部４１２ａが第１ミラー係止レバー４３０の係合部４３１ａと係合して係止されているため、腕４１１でピン３２１ａを上方に押し上げた状態で停止している。したがって、メインミラー３２１は、不図示のミラーダウンバネの付勢力に抗して、ミラーアップ位置で停止している。この状態では、第２ミラーアップレバー４２０は、バネ４９１の付勢力に抗して、図示反時計方向に駆動されることとなる。
【００５１】
（１−６）  可動鉄心４０１ａの釈放（図１２）
制御回路１０１は、所定のタイミングでミラーマグネット４０１を所定時間励磁する。これにより、ミラーマグネット４０１が可動鉄心４０１ａを釈放する。そのため、上述した「（１−１）  ミラーアップ開始」の場合と同様に、ミラースタートレバー４７０が図示反時計方向に回動して、腕４７２の先端部４７２ａで第１ミラー係止レバー４３０の当接部４３２ａおよび第２ミラー係止レバー４４０の当接部４４２ａと当接してこれを前方に押動する。
【００５２】
第１ミラー係止レバー４３０がバネ４９４の付勢力に抗して図示反時計方向へ回動するので、腕４３１の係合部４３１ａと第１ミラーアップレバー４１０の腕４１２の係合部４１２ａとの係合が解除される。これにより、第１ミラーアップレバー４１０がバネ４９１の付勢力によって図示反時計方向へ回動し始める。第１ミラーアップレバー４１０が図示反時計方向へ回動することで、腕４１１が下方に逃げるので、ピン３２１ａが下方に移動可能となる。そのため、メインミラー３２１は、不図示のミラーダウンバネの付勢力でミラーダウンを開始する。
【００５３】
（１−７）  可動鉄心４０１ａの再吸着（図１３）
第２ミラーアップレバー４２０およびミラーアップレバー４１０の図示反時計方向への回動が進行すると、図１３に示すように可動鉄心４０１ａがミラーマグネット４０１に再吸着される。すなわち、ミラーアップレバー４１０の図示反時計方向への回動によって、第１ミラーマグネットチャージレバー４５０の当接部４５２ａを前方へ押圧していたミラーアップレバー４１０の腕４１２の当接部４１２ｂが後退する。
【００５４】
第１ミラーマグネットチャージレバー４５０の当接部４５２ａが前方へ押圧されなくなると、上述した「（１−２）  可動鉄心４０１ａの再吸着」の場合と同様に、ミラースタートレバー４７０がバネ４９７の付勢力で図示時計方向に回動して、可動鉄心４０１ａがミラーマグネット４０１に再吸着される。
【００５５】
（１−８）  ミラーダウンオーバーチャージ（図１４）
チャージレバー４８１、第２ミラーアップレバー４２０およびミラーアップレバー４１０の図示反時計方向への回動がさらに進行すると、図１４に示すような状態となる。すなわち、第２ミラーアップレバー４２０およびミラーアップレバー４１０の図示反時計方向への回動の進行により、第１ミラーアップレバー４１０の腕４１１がピン３２１ａの可動範囲下端よりも下方へ移動するので、メインミラー３２１は、ミラーダウン位置まで移動して停止する。これにより、メインミラー３２１のミラーダウンが完了する。
【００５６】
第２ミラーアップレバー４２０の腕４２３の係合部４２３ａは、第２ミラー係止レバー４４０の係合部４４１ａよりも前方へ移動する。このとき、ミラースタートレバー４７０の腕４７２の先端部４７２ａが当接部４４２ａから離間しているので、第２ミラー係止レバー４４０がバネ４９５の付勢力で図示反時計方向に回動する。そして、腕４４１の下端が、第２ミラーアップレバー４２０の腕４２３の係合部４２３ａの上側から当接して、第２ミラー係止レバー４４０の図示反時計方向への回動が規制される。
【００５７】
また、第２ミラーアップレバー４２０の図示反時計方向への回動の進行により、押上部４２４が第２ミラーマグネットチャージレバー４６０のピン４６２と当接してこれを上方に押し上げる。これにより、第２ミラーマグネットチャージレバー４６０が、バネ４９６の付勢力に抗して図示時計方向に回動し、腕４６１で第１ミラーマグネットチャージレバー４５０の当接部４５２ａを前方に向かって押動する。当接部４５２ａが前方に押動されると、第１ミラーマグネットチャージレバー４５０が図示反時計方向に回動するので、バネ４９２がミラースタートレバー４７０を図示反時計方向に付勢するようになる。なお、ミラースタートレバー４７０は、ミラーマグネット４０１が可動鉄心４０１ａを吸着して保持しているので、図示反時計方向へ回動することはない。
【００５８】
（１−９）  ミラーダウン（図７）
リセット動作開始後、不図示のチャージカムが１回転すると、制御回路１０１は、チャージモータ１５０を停止させる。不図示のチャージカムが１回転すると、チャージコロ４８４が下方に押動していたレバーが上方に退避する。これにより、基板と、チャージレバー４８１と、第１チャージリンク４８２と、第２チャージリンク４８３とによって構成される４節リンク機構は、バネ４９８の付勢力により、チャージレバー４８１が図示時計方向に回動されて、図７に示す位置に復帰して停止する。
【００５９】
チャージレバー４８１が図示時計方向に戻ることで、チャージレバー４８１で押動されていた第２ミラーアップレバー４２０がバネ４９３の付勢力によって図示時計方向に回動される。なお、第２ミラーアップレバー４２０は、腕４２３の係合部４２３ａが第２ミラー係止レバー４４０の腕４４１の係合部４４１ａと係合するため、図７に示す位置で係止される。以上でリセット動作が終了し、ミラー駆動装置４００は、図３〜６，７に示す撮影開始前の状態に復帰する。
【００６０】
−−−ライブビューモード設定時の動作−−−
撮影モードがライブビューモードに設定される直前には、撮影モードが通常撮影モードに設定されていて、レリーズ動作開始前の状態にあるので、ミラー駆動装置４００の各部は、上述した図３〜６，７に示す状態となっている。撮影モードがライブビューモードに設定された場合には、スルー画を表示装置１０７に表示するために、メインミラー３２１をミラーアップし、シャッタ装置５００の先幕遮光羽根群のみを走行させて、撮像素子６９に被写体光を導く必要がある。そのため、撮影モードがライブビューモードに設定されると、ミラー駆動装置４００は次のように動作する。以下、図３〜６，７の他、図１５〜１８を参照して説明する。なお、図１５〜１８では、ピン３２１ａやバネなどの記載を省略している。
【００６１】
制御回路１０１は、ミラーマグネット４０１を所定時間励磁する。これにより、ミラーマグネット４０１は可動鉄心４０１ａを釈放し、上述したように、ミラーアップが開始する。その後、ミラー駆動装置４００では、上述した通常撮影モードにおける「（１−３）  ミラーアップの完了」までの動作が行われる。これにより、メインミラー３２１がミラーアップする。そして、シャッタ装置５００の先幕遮光羽根群のみが走行して撮影開口が開き、撮像素子６９に被写体光が導かれる。制御回路１０１は、撮像素子６９で繰り返し撮像することで得られるスルー画を表示装置１０７に表示させる。これにより、表示装置１０７には、スルー画が表示される。
【００６２】
レリーズボタン１０４が半押し操作されると、不図示のレリーズスイッチから半押し操作信号が出力される。この半押し操作信号を受信すると、制御回路１０１は、撮像素子６９で撮像することで得られるスルー画に基づいて、公知の測光および測距演算を行って、シャッタ速度（シャッタ秒時）、制御絞り値を算出する。そして、撮影レンズ１２０のフォーカスレンズを駆動するためのレンズ制御信号を出力する。
【００６３】
（２−１）  ライブビュー撮影スタート（図１５）
上述したスルー画を表示した状態から本撮影を行うには、一旦シャッタ装置５００の後幕遮光羽根群も走行させた後、シャッタ装置５００を走行開始前の状態（撮影準備状態）に復帰させ、その後、シャッタ装置５００の先幕遮光羽根群および後幕遮光羽根群を順次走行させることで本撮影を行う。上述したスルー画を表示した状態で、レリーズボタン１０４が全押し操作されると、不図示のレリーズスイッチから全押し操作信号が出力される。この全押し操作信号を受信すると、制御回路１０１は、チャージモータ１５０の駆動を開始する。
【００６４】
チャージモータ１５０が駆動されると、チャージモータ１５０の駆動力で不図示のチャージカムが駆動されて、チャージコロ４８４が下方に押動される。これにより、図１５に示すように、第１チャージリンク４８２がチャージレバー４８１の他端を引き下げて、チャージレバー４８１を図示反時計方向に回動させる。チャージレバー４８１が図示反時計方向に回動すると、チャージレバー４８１の腕の下面が第２ミラーアップレバー４２０の腕４２２に当接してこれを下方に向かって押動する。
【００６５】
これにより、第２ミラーアップレバー４２０がバネ４９３による図示時計方向への付勢力に抗して反時計方向に回動されてチャージされる。なお、第１ミラーアップレバー４１０は、腕４１２の係合部４１２ａが第１ミラー係止レバー４３０の係合部４３１ａと係合して係止されているため、ピン３２１ａを上方に押し上げた状態で停止している。したがって、メインミラー３２１は、不図示のミラーダウンバネの付勢力に抗して、ミラーアップ位置で停止している。この状態では、第２ミラーアップレバー４２０は、バネ４９１の付勢力に抗して、図示反時計方向に駆動されることとなる。
【００６６】
（２−２）  ライブビュー撮影スタート中間状態（図１６）
チャージモータ１５０の駆動によって、図１５に示す状態から第２ミラーアップレバー４２０の図示反時計方向への回動が進行すると、図１６に示す状態となる。なお、この段階では、チャージモータ１５０の駆動によってシャッタ装置５００（シャッタ駆動装置６００）や不図示の絞り駆動機構なども撮影開始前の状態（撮影準備状態）にリセットされつつある。
【００６７】
（２−３）  ライブビューオーバーチャージ（図１７）
チャージモータ１５０の駆動によって、図１６に示す状態から第２ミラーアップレバー４２０の図示反時計方向への回動が進行すると、図１７に示す状態となる。第２ミラーアップレバー４２０の腕４２３の係合部４２３ａは、第２ミラー係止レバー４４０の係合部４４１ａよりも前方へ移動する。このとき、ミラースタートレバー４７０の腕４７２の先端部４７２ａが当接部４４２ａから離間しているので、第２ミラー係止レバー４４０がバネ４９５の付勢力で図示反時計方向に回動する。そして、腕４４１の下端が、第２ミラーアップレバー４２０の腕４２３の係合部４２３ａの上側から当接して、第２ミラー係止レバー４４０の図示反時計方向への回動が規制される。
【００６８】
なお、この段階では、シャッタ装置５００（シャッタ駆動装置６００）や不図示の絞り駆動機構などは、撮影開始前の状態（撮影準備状態）へのリセットが完了している。
【００６９】
（２−４）  本撮影開始直前（図１８）
チャージモータ１５０の駆動開始後、不図示のチャージカムが１回転すると、制御回路１０１は、チャージモータ１５０を停止させる。不図示のチャージカムが１回転すると、チャージコロ４８４が下方に押動していたレバーが上方に退避する。これにより、基板と、チャージレバー４８１と、第１チャージリンク４８２と、第２チャージリンク４８３とによって構成される４節リンク機構は、バネ４９８の付勢力により、チャージレバー４８１が図示時計方向に回動されて、図１８に示す位置に復帰して停止する。
【００７０】
チャージレバー４８１が図示時計方向に戻ることで、チャージレバー４８１で押動されていた第２ミラーアップレバー４２０がバネ４９３の付勢力によって図示時計方向に回動される。なお、第２ミラーアップレバー４２０は、腕４２３の係合部４２３ａが第２ミラー係止レバー４４０の腕４４１の係合部４４１ａと係合するため、図１８に示す位置で係止される。以上で、本撮影のためのシャッタ装置のリセット動作が終了する。
【００７１】
（２−５）  本撮影
制御回路１０１は、シャッタ装置５００の不図示の先幕遮光羽根群および後幕遮光羽根群を走行させて、所定時間だけ撮像素子６９への被写体光の入射を許可する。これにより本撮影が行われて、記憶媒体への記録用の画像を取得する。
【００７２】
（２−６）  シャッタ装置のリセット動作
本撮影が行われた後、再びスルー画の表示を行うために、シャッタ装置５００を一旦リセットした後、先幕遮光羽根群のみ走行させて撮影開口を開く必要がある。そこでまず、シャッタ装置５００のリセット動作が行われる。制御回路１０１は、チャージモータ１５０の駆動を開始する。チャージモータ１５０の駆動によってシャッタ装置５００（シャッタ駆動装置６００）は、撮影開始前の状態にリセットされる。
【００７３】
チャージモータ１５０が駆動されると、不図示のチャージカムが駆動されて、チャージコロ４８４が下方に押動される。これにより、上述したように、第１チャージリンク４８２がチャージレバー４８１の他端を引き下げて、チャージレバー４８１を図示反時計方向に回動させる。なお、チャージレバー４８１が図示反時計方向に回動しても、第２ミラーアップレバー４２０が第２ミラー係止レバー４４０によって図１８に示す位置で係止されているため、チャージレバー４８１の腕の下面は、チャージレバー４８１が図１７に示す回動位置近傍に回動するまでは、第２ミラーアップレバー４２０の腕４２２に当接しない。
【００７４】
チャージレバー４８１が図１７に示す回動位置近傍に回動すると、図１７に図示するように、チャージレバー４８１が第２ミラーアップレバー４２０をオーバーチャージする。チャージモータ１５０の駆動開始後、不図示のチャージカムが１回転すると、制御回路１０１は、チャージモータ１５０を停止させる。これにより、上述した「（２−４）  本撮影開始直前」の状態と同じ状態となる。すなわち、チャージレバー４８１は、図１８に示す位置に復帰して停止する。第２ミラーアップレバー４２０は、第２ミラー係止レバー４４０によって、図１８に示す位置で係止される。
【００７５】
（２−７）  スルー画取得再開
再びスルー画の表示を行うために、上記シャッタ装置５００のリセットに引き続き、先幕遮光羽根群のみ走行させて撮影開口を開く必要がある。そこで制御回路１０１は、シャッタ装置５００の先幕遮光羽根群のみを走行させる。これにより撮影開口が開き、撮像素子６９に被写体光が導かれる。制御回路１０１は、撮像素子６９で繰り返し撮像することで得られるスルー画を表示装置１０７に表示させる。これにより、表示装置１０７には、再びスルー画が表示される。以降、レリーズボタン１０４が全押し操作されると、上述した「（２−１）  ライブビュースタート」以降の動作が繰り返される。
【００７６】
−−−ライブビューモードから通常撮影モードへ設定された時の動作−−−
撮影モードが通常撮影モードに設定される直前には、撮影モードがライブビューモードに設定されていて、スルー画を取得して表示装置１０７に表示させている状態にある。したがって、ミラー駆動装置４００の各部は、本撮影が行われた後であれば、上述した図１８に示す状態となっている。なお、本撮影が行われていなければ、ミラー駆動装置４００の各部は、図１０に示す通常時のミラーアップ状態と同じであるため、シャッタ装置の不図示の後幕遮光羽根群を走行させた後は、通常時のリセット動作の動作と同様であり、その説明を省略する。
【００７７】
以下の説明では、ライブビューモード設定時に本撮影が行われた後に通常撮影モードに変更する場合について説明する。すなわち、ミラー駆動装置４００の各部が図１８に示す状態にあるときに通常撮影モードに変更された場合について説明する。なお、以下で説明する図１９〜１２では、ピン３２１ａやバネなどの記載を省略している。
【００７８】
（３−１）  ライブビューリセットスタート（図１９）
撮影モードが通常撮影モードに設定されると、シャッタ装置５００を走行開始前の状態に復帰させるため、制御回路１０１は、一旦シャッタ装置５００の後幕遮光羽根群を走行させる。次いで、制御回路１０１は、チャージモータ１５０の駆動を開始する。なお、以下に説明するミラー駆動装置４００の動作とは別に、チャージモータ１５０の駆動によってシャッタ装置５００（シャッタ駆動装置６００）なども撮影開始前の状態（撮影準備状態）にリセットされる。
【００７９】
チャージモータ１５０が駆動されると、不図示のチャージカムが駆動されて、チャージコロ４８４が下方に押動される。これにより、第１チャージリンク４８２がチャージレバー４８１の他端を引き下げて、チャージレバー４８１を図示反時計方向に回動させる。なお、チャージレバー４８１が図示反時計方向に回動しても、第２ミラーアップレバー４２０が第２ミラー係止レバー４４０によって図１８に示す位置で係止されているため、この段階では、チャージレバー４８１の腕の下面は、第２ミラーアップレバー４２０の腕４２２に当接しない。
【００８０】
（３−２）  ライブビューリセット中間状態１（図２０）
チャージモータ１５０の駆動が開始されて一定の時間が経過すると、制御回路１０１は、ミラーマグネット４０１を所定時間励磁する。これにより、ミラーマグネット４０１が可動鉄心４０１ａを釈放するので、ミラースタートレバー４７０は、バネ４９２の付勢力で、図示反時計方向に回動する。その結果、図２０に示すように、腕４７２の先端部４７２ａが第１ミラー係止レバー４３０の当接部４３２ａおよび第２ミラー係止レバー４４０の当接部４４２ａと当接してこれを前方に押動する。
【００８１】
当接部４３２ａおよび当接部４４２ａがそれぞれ前方に押動されることで、第１ミラー係止レバー４３０はバネ４９４の付勢力に抗して図示反時計方向へ、第２ミラー係止レバー４４０はバネ４９５の付勢力に抗して図示時計方向へそれぞれ回動する。第１ミラー係止レバー４３０の図示反時計方向への回動によって、腕４３１の係合部４３１ａと、第１ミラーアップレバー４１０の腕４１２の係合部４１２ａとの係合が解除されるので、第１ミラーアップレバー４１０は、バネ４９１の付勢力で図示反時計方向に回動する。
【００８２】
また、第２ミラー係止レバー４４０の図示時計方向への回動によって、腕４４１の係合部４４１ａと、第２ミラーアップレバー４２０の腕４２３の係合部４２３ａとの係合が解除されるので、第２ミラーアップレバー４２０は、バネ４９１の付勢力で図示時計方向への回動を開始する。
【００８３】
（３−３）  ライブビューリセット中間状態２（図２１）
その後、図示時計方向へ回動する第２ミラーアップレバー４２０の腕４２２と、図示反時計方向へ回動するチャージレバー４８１の腕の下面とが当接する。また、図示時計方向へ回動する第２ミラーアップレバー４２０の腕４２１の折り曲げ部４２１ａと、図示反時計方向へ回動するミラーアップレバー４１０の腕４１１とが当接する。そして、チャージレバー４８１の図示反時計方向の回動によって、第２ミラーアップレバー４２０およびこれと一体化されたミラーアップレバー４１０が図示反時計方向へ回動する。
【００８４】
ミラーアップレバー４１０の図示反時計方向への回動によって、第１ミラーマグネットチャージレバー４５０の当接部４５２ａを前方へ押圧していたミラーアップレバー４１０の腕４１２の当接部４１２ｂが後退する。
【００８５】
第１ミラーマグネットチャージレバー４５０の当接部４５２ａが前方へ押圧されなくなると、上述した「（１−２）  可動鉄心４０１ａの再吸着」の場合と同様に、ミラースタートレバー４７０がバネ４９７の付勢力で図示時計方向に回動して、可動鉄心４０１ａがミラーマグネット４０１に再吸着される。
【００８６】
（３−４）  ライブビューリセットオーバーチャージ（図２２）
チャージレバー４８１、第２ミラーアップレバー４２０およびミラーアップレバー４１０の図示反時計方向への回動がさらに進行すると、図２２に示すような状態となる。すなわち、第２ミラーアップレバー４２０およびミラーアップレバー４１０の図示反時計方向への回動の進行により、第１ミラーアップレバー４１０の腕４１１がピン３２１ａの可動範囲下端よりも下方へ移動するので、メインミラー３２１は、ミラーダウン位置まで移動して停止する。これにより、メインミラー３２１のミラーダウンが完了する。
【００８７】
第２ミラーアップレバー４２０の腕４２３の係合部４２３ａは、第２ミラー係止レバー４４０の係合部４４１ａよりも前方へ移動する。このとき、ミラースタートレバー４７０の腕４７２の先端部４７２ａが当接部４４２ａから離間しているので、第２ミラー係止レバー４４０がバネ４９５の付勢力で図示反時計方向に回動する。そして、腕４４１の下端が、第２ミラーアップレバー４２０の腕４２３の係合部４２３ａの上側から当接して、第２ミラー係止レバー４４０の図示反時計方向への回動が規制される。
【００８８】
また、第２ミラーアップレバー４２０の図示反時計方向への回動の進行により、押上部４２４が第２ミラーマグネットチャージレバー４６０のピン４６２と当接してこれを上方に押し上げる。これにより、第２ミラーマグネットチャージレバー４６０が、バネ４９６の付勢力に抗して図示時計方向に回動し、腕４６１で第１ミラーマグネットチャージレバー４５０の当接部４５２ａを前方に向かって押動する。当接部４５２ａが前方に押動されると、第１ミラーマグネットチャージレバー４５０が図示反時計方向に回動するので、バネ４９２がミラースタートレバー４７０を図示反時計方向に付勢するようになる。なお、ミラースタートレバー４７０は、ミラーマグネット４０１が可動鉄心４０１ａを吸着して保持しているので、図示反時計方向へ回動することはない。
【００８９】
（３−５）  ミラーダウン（通常撮影モード復帰完了）（図７）
リセット動作開始後、不図示のチャージカムが１回転すると、制御回路１０１は、チャージモータ１５０を停止させる。不図示のチャージカムが１回転すると、チャージコロ４８４が下方に押動していたレバーが上方に退避する。これにより、基板と、チャージレバー４８１と、第１チャージリンク４８２と、第２チャージリンク４８３とによって構成される４節リンク機構は、バネ４９８の付勢力により、チャージレバー４８１が図示時計方向に回動されて、図７に示す位置に復帰して停止する。すなわち、通常撮影モードにおける撮影開始前の状態に復帰する。
【００９０】
上述したカメラボディ１００では、次の作用効果を奏する。
（１）  メインミラー３２１を駆動するための第１ミラーアップレバー４１０、および第２ミラーアップレバー４２０と、第１ミラーアップレバー４１０を係止するための第１ミラー係止レバー４３０と、第２ミラーアップレバー４２０を係止するための第２ミラー係止レバー４４０とを設け、第１ミラーアップレバー４１０および第２ミラーアップレバー４２０を個別に係止できるように構成した。これにより、シャッタ装置５００だけをリセットさせようとしたときに、メインミラー３２１をミラーアップさせた状態で保持することができるようになるので、余計な電力の消費を抑制するとともに、騒音発生を抑制できる。また、簡単な構成で、シャッタ装置５００だけをリセットさせようとしたときに、メインミラー３２１をミラーアップさせた状態で保持することができるようになるので、製造コストを抑制でき、故障も少なくなり耐久性や信頼性を向上できる。
【００９１】
（２）  メインミラー３２１をミラーアップさせたままの状態でシャッタ装置５００をリセットする場合には、第１ミラー係止レバー４３０が第１ミラーアップレバー４１０を係止し、メインミラー３２１がミラーダウンすることを許容した状態でシャッタ装置５００をリセットする場合には、第１ミラー係止レバー４３０が第１ミラーアップレバー４１０の係止を解除するように構成した。これにより、シャッタ装置５００のリセット時に、メインミラー３２１をミラーアップさせたままとするか、ミラーダウンさせるのかを簡単な構成で選択できるので、故障も少なくなり信頼性を向上できる。
【００９２】
（３）  メインミラー３２１をミラーアップさせたままの状態でシャッタ装置５００をリセットする場合には、ミラーマグネット４０１で可動鉄心４０１ａを吸着して保持したままとして、第１ミラー係止レバー４３０が第１ミラーアップレバー４１０の係止解除を禁止するように構成した。また、メインミラー３２１がミラーダウンすることを許容した状態でシャッタ装置５００をリセットする場合には、ミラーマグネット４０１で可動鉄心４０１ａを釈放することとして、第１ミラー係止レバー４３０が第１ミラーアップレバー４１０の係止解除を許可するように構成した。これにより、シャッタ装置５００のリセット時に、メインミラー３２１をミラーアップさせたままとするか、ミラーダウンさせるのかを簡単に制御できるので、制御内容を簡便化して信頼性を向上できる。また、１つのミラーマグネット４０１によって、シャッタ駆動装置５００のリセット時に、メインミラー３２１をミラーアップさせたままとするか、ミラーダウンさせるのかを制御できるので、新たなコンビネーションマグネットや、このコンビネーションマグネットによって係止されるレバー類の増設の必要がなく、製造コスト増を抑制できる。
【００９３】
−−−変形例−−−
（１）  上述の説明では、ミラーダウンする方向に付勢されたメインミラー３２１に対して、メインミラー３２１をミラーアップさせたままの状態でシャッタ装置５００をリセットする場合には、第１ミラー係止レバー４３０が第１ミラーアップレバー４１０を係止するように構成したが、本発明はこれに限定されない。たとえば、ミラーアップする方向に付勢されたメインミラー３２１に対して、メインミラー３２１が取り付けられた不図示の枠に植設されたピン３２１ａが第１ミラーアップレバー４１０の腕４１１の下側に当接するように構成してもよい。
【００９４】
（２）  上述の説明では、ミラーマグネット４０１、ミラースタートレバー４７０、および第１ミラーマグネットチャージレバー４５０で、第１ミラー係止レバー４３０、および第２ミラー係止レバー４４０の係止解除を行っているが、本発明はこれに限定されない。たとえば、図２３に示すように、係止解除用のマグネット４０３、ミラースタートレバー１４７０、およびミラーマグネットチャージレバー１４５０をさらに設けるように構成してもよい。そして、ミラーマグネット４０１、ミラースタートレバー４７０、および第１ミラーマグネットチャージレバー４５０で、第１ミラー係止レバー４３０の係止解除を行い、マグネット４０３、ミラースタートレバー１４７０、およびミラーマグネットチャージレバー１４５０で、第２ミラー係止レバー４４０の係止解除を行うように構成してもよい。なお、ミラースタートレバー１４７０、およびミラーマグネットチャージレバー１４５０は、ミラースタートレバー４７０、および第１ミラーマグネットチャージレバー４５０と上下で対称となるようなレバーである。また、図２３では、バネ等の記載を省略している。
（３）  上述した各実施の形態および変形例は、それぞれ組み合わせてもよい。
【００９５】
なお、本発明は、上述した実施の形態のものに何ら限定されず、撮影光路中に挿入されるダウン姿勢と、撮影光路から退避したアップ姿勢との２姿勢を採り得るように構成されてダウン姿勢およびアップ姿勢のいずれか一方の姿勢となるように第１の付勢力が与えられているミラーと、第１の付勢力に抗して他方の姿勢となるようにミラーを駆動する第１のミラーアップレバーと、第２の付勢力が与えられたレバーであって、第１のミラーアップレバーと協働してミラーを他方の姿勢となるように第２の付勢力によって駆動する第２のミラーアップレバーと、ミラーが他方の姿勢を維持するように、ミラーを駆動した第１のミラーアップレバーを係止する第１の係止レバーと、第２の付勢力に抗して第２のミラーアップレバーを係止する第２の係止レバーと、付与されたチャージ力によって、第２のミラーアップレバーを駆動して第２の付勢力をチャージするチャージレバーと、チャージ力によって、チャージレバーと連動して駆動されることでシャッタ装置の遮光羽根群の走行駆動力をチャージするシャッタチャージ機構とを備えることを特徴とする各種構造のカメラを含むものである。
【００９６】
また、本発明は、上述した実施の形態のものに何ら限定されず、撮影光路中に挿入されるダウン姿勢と、撮影光路から退避したアップ姿勢との２姿勢を採り得るミラーと、ミラーをダウン姿勢とアップ姿勢との間で駆動する第１および第２のミラーアップレバーと、第１のミラーアップレバーを係止する第１の係止レバーと、第２のミラーアップレバーを係止する第２の係止レバーと、第１および第２のミラーアップレバーをチャージするチャージレバーと、シャッタ装置をチャージするシャッタチャージ機構とを備えることを特徴とする各種構造のカメラを含むものである。
【符号の説明】
【００９７】
６９  撮像素子                              １００  カメラボディ
１０７  表示装置                            １５０  駆動モータ（チャージモータ）
３２１  メインミラー                        ４００  ミラー駆動装置
４１０  第１ミラーアップレバー              ４２０  第２ミラーアップレバー
４３０  第１ミラー係止レバー                ４４０  第２ミラー係止レバー４４０
４５０  第１ミラーマグネットチャージレバー
４６０  第２ミラーマグネットチャージレバー
４７０  ミラースタートレバー                  ５００  シャッタ装置
６００  シャッタ駆動装置
【図１】
2012022237.tif 000003
【図２】
2012022237.tif 000004
【図３】
2012022237.tif 000005
【図４】
2012022237.tif 000006
【図５】
2012022237.tif 000007
【図６】
2012022237.tif 000008
【図７】
2012022237.tif 000009
【図８】
2012022237.tif 000010
【図９】
2012022237.tif 000011
【図１０】
2012022237.tif 000012
【図１１】
2012022237.tif 000013
【図１２】
2012022237.tif 000014
【図１３】
2012022237.tif 000015
【図１４】
2012022237.tif 000016
【図１５】
2012022237.tif 000017
【図１６】
2012022237.tif 000018
【図１７】
2012022237.tif 000019
【図１８】
2012022237.tif 000020
【図１９】
2012022237.tif 000021
【図２０】
2012022237.tif 000022
【図２１】
2012022237.tif 000023
【図２２】
2012022237.tif 000024
【図２３】
2012022237.tif 000025